(57)【要約】本発明は、画像（ａ，ｂ，ｃ，ｄ，ｅ，…，ｍ，ｎ）が各要素に関連づけられており、これによって各要素へのアクセスが制御される、ディジタルデータによって格納されたマルチメディア要素にアクセスするための方法に関する。本発明によれば、この方法の特徴は、上記の要素のうちの１つにアクセスしたい場合、第１の要素に関連づけられている第１画像グループ（ｂ，ｃ，ｅ，ｆ，ｇ；ａ，ｊ，ｅ，ｆ，ｇ）を表示し、これら表示された画像のうちの少なくとも１つ（ｅ）と、この第１画像グループとは異なる、第２の要素のグループに関連づけられている第２画像グループ（ｉ，ｅ，ｋ，ｍ，ｎ；ｂ，ｃ，ｅ，ｋ，ｍ）を表示する手段とが関連づけられていることである。
2006512666.tif 000002
【特許請求の範囲】
【請求項１】
画像（ａ，ｂ，ｃ，ｄ，ｅ，…，ｍ，ｎ）が各要素に関連づけられており、これによって各要素へのアクセスが制御される、ディジタルデータによって格納されたマルチメディア要素にアクセスするための方法において、
前記の要素のうちの１つにアクセスしたい場合、
−  第１の複数の要素に関連づけられている第１画像グループ（ｂ，ｃ，ｅ，ｆ，ｇ；ａ，ｊ，ｅ，ｆ，ｇ）を表示し、
−  当該の表示された画像のうちの少なくとも１つ（ｅ）と、前記第１画像グループとは異なる、第２の複数の要素に関連づけられている第２画像グループ（ｉ，ｅ，ｋ，ｍ，ｎ；ｂ，ｃ，ｅ，ｋ，ｍ）を表示する手段とが関連づけられていることを特徴とする、
マルチメディア要素にアクセスするための方法。
【請求項２】
前記第２画像グループとは異なる、第３の要素に関連づけられた第３画像グループを表示する手段が、第２画像グループ（ｉ，ｅ，ｋ，ｍ，ｎ；ｂ，ｃ，ｅ，ｋ，ｍ）のうちの少なくとも１つ画像に関連づけられている、
請求項１に記載の方法。
【請求項３】
画像を表示する手段がアクティブ化されると、直ちに第１画像グループを自動的に表示する、
請求項１または２に記載の方法。
【請求項４】
マルチメディア要素に対して表示、格納または転送などの操作を実行する場合、画像第１グループ（ｂ，ｃ，ｅ，ｆ，ｇ；ａ，ｊ，ｅ，ｆ，ｇ）の表示をアクティブ化する手段を表示する、
請求項１から３までのいずれか１項に記載の方法。
【請求項５】
画像グループを表示する場合、修正、格納または転送などの操作を制御する手段も表示する、
請求項１から４までのいずれか１項に記載の方法。
【請求項６】
表示する画像の数は、１０以下であり有利には６以下である、
請求項１から５までのいずか１項に記載の方法。
【請求項７】
同一の選択判定条件に対応し１グループを形成する要素（２０４１，２０４２，２０４３，２０４４，２０４５，２０４６）と、同一のグループに所属する要素に関連づけられた画像とを１グループで表示する、
請求項１から６までのいずれか１項に記載の方法。
【請求項８】
アクセス頻度、格納日付、ファイルサイズ、この画像における所定のレリーフの存在または色の優位度などの関連づけられた画像に固有の技術的なパラメタ、要素に関連づけられたテーマ、同一のセマンティックグループへの帰属度、要素の内容および／または性質についての類似度、ランダムな決定、またはユーザの好みのうちの少なくとも１つの判定条件を考慮することによって画像および／またはグループを選択し、ここでは当該のグループから選択した画像を表示する、
請求項１から７までのいずれか１項に記載の方法。
【請求項９】
前記マルチメディア要素は、ビデオシーケンス、画像、曲および／またはテキストに関連する、
請求項１から８までのいずれか１項に記載の方法。
【請求項１０】
マルチメディア要素は、写真またはビデオシーケンスに関連し、
当該要素に関連付けられる画像を前記の写真からまたはビデオシーケンスから生成する、
請求項１から９までのいずれか１項に記載の方法。
【請求項１１】
要素の表示を生成することによって当該要素にアクセスする、
請求項１から１０までのいずれか１項に記載の方法。
【請求項１２】
画像の表示を時系列モードにしたがってまたはテーマモードにしたがって行う、
請求項１から１１までのいずれか１項に記載の方法。
【請求項１３】
画像（ａ，ｂ，ｃ，ｄ，ｅ，…，ｍ，ｎ）が各要素に関連づけられており、これによって各要素にアクセスする、ディジタルデータによって格納されるマルチメディア要素にアクセスするための装置（２００）において、
該装置は、手段（２１０）、すなわち
−  第１の複数の要素に関連づけられている第１画像グループ（ｂ，ｃ，ｅ，ｆ，ｇ；ａ，ｊ，ｅ，ｆ，ｇ）を表示し、かつ
−  当該の表示された画像のうちの１つに基づいて、前記第１画像グループとは異なる、第２の複数の要素のグループに関連づけられている第２画像グループ（ｉ，ｅ，ｋ，ｍ，ｎ；ｂ，ｃ，ｅ，ｋ，ｍ）の表示を制御する手段（２１０）を含むことを特徴とする、
マルチメディア要素にアクセスするための装置（２００）。
【請求項１４】
前記装置は、前記の第２グループの少なくとも１つの画像と、当該の第２グループとは異なる第３の要素に関連づけられた第３画像グループを表示する手段と関連づける手段を有している、
請求項１３に記載の装置。
【請求項１５】
前記装置は、画像表示手段がアクティブ化されると、直ちに第１画像のグループを自動的に表示する手段を含む、
請求項１３または１４に記載の装置。
【請求項１６】
前記装置は、マルチメディア要素に対する表示、格納または転送などの操作に伴って、第１画像グループの表示をアクティブ化する手段を表示する手段を含む、
請求項１３から１５までのいずれか１項に記載の装置。
【請求項１７】
前記装置は、時系列モードにしたがってまたはテーマモードにしたがって画像表示する手段を含む、
請求項１３から１６までのいずれか１項に記載の装置。
【発明の詳細な説明】
【技術分野】
【０００１】
本発明は、マルチメディア要素に関連づけられた画像によってこれらの要素にアクセスする方法および装置に関する。
【０００２】
例えば、画像、ビデオシーケンス、曲および／またはテキストを含むマルチメディア要素を格納または処理するためにディジタル装置、すなわちディジタルデータによって動作する装置を使用することは公知である。
【０００３】
ディジタル装置によって高速かつ容易にマルチメディア要素を処理することができ、そのコピー、修正または転送のような操作が行われる。このため、ディジタルカメラによって撮影した写真は、例えば数多くのいろいろポータブルメモリによっていくつかのコンピュータに転送することができ、これらのコンピュータのうちの１つによって修正し、またプリンタを介してこの修正した写真を印刷することできる。
【０００４】
ディジタル装置に格納されたマルチメディア要素１１０へのアクセスは一般に、フォルダ１０２，１０４および１０６およびサブフォルダ１０２′および１０２″を使用した階層的な編成ないしは位置（図１ａ）の処理を要求する。
【０００５】
フォルダの階層的編成は、マルチメディア要素のサイズまたは格納日付／期間などのようなあらかじめ定めた判定条件にしたがって自動的に定められる。この場合、各サブフォルダは、指定されたサイズおよび／または指定された格納日付／期間に関連するマルチメディア要素を含む。
【０００６】
また階層的編成は、サブフォルダに格納される要素に関連づけられたテーマのようなユーザによって定義された判定条件にしたがって決めることも可能である。このような場合にはユーザがマルチメディア要素を格納する際に、このユーザは、この要素を含むフォルダまたはサブフォルダを、例えば、格納される要素に関連づけられるテーマに依存して決定するのである。
【０００７】
続いて例えばサブフォルダに関連づけられたテーマ１０２′によってこのサブフォルダを識別する要求１０８[１０２′]（図１ａ）を送信することにより、ユーザはこのサブフォルダ１０２′に収容されているすべての要素１１０にアクセスする。
【０００８】
このようなアクセスはこれらの要素に関連づけられた画像を表示することによって行うことができるため、ユーザは、画像を選択することにより、この画像に関連づけられた要素の内容にアクセスする。
【０００９】
マルチメディア要素にアクセスするための別の公知の方法（図１ｂ）では選択判定条件を使用することができ、ユーザが選択判定条件を決定する要求１０８[  ]を送信すると、この判定条件に合致するマルチメディア要素１１０が選択される。ここでこの選択はこれらが格納されたフォルダ１０２′，１０４′または１０６′とは無関係に行われる。
【００１０】
この場合、選択されるマルチメディア要素へのアクセスは上記のようにこれらに関連づけられた画像によって行うことも可能であるため、画像を選択することによって、ユーザはこの画像に関連づけられたマルチメディア要素にアクセスするのである。
【００１１】
本発明は、ディジタル装置に格納されたマルチメディア要素にアクセスする公知の方法が多数のユーザにおよび／または多数の使用に不適切であるということが判明したことから得られたものである。
【００１２】
実際、位置に基づくアクセスまたは選択判定条件に基づくアクセスのためのこれらの方法により、要素にアクセスしようとするユーザは、要素の位置に関連する、および／またはこの要素を定める選択判定条件に関連する情報についてあらかじめ知識を有しなければならないのである。
【００１３】
一人が要素を装置に格納するのに対して別の複数の人間がこれらの要素にアクセスするといったように、さまざまな人間によって使用される装置に要素が格納される多くの状況において、上記のようなあらかじめの知識は存在しない。
【００１４】
実際にこのようなケースでは、要素を格納した人間だけが、位置および／または使用した選択判定条件に関連する情報を知っていることによって、別の人間が要素にアクセスするのを困難にしている。
【００１５】
さらに、マルチメディア要素に割り当てられた選択判定条件または位置は、この割り当てを行う人間に依存して変わり得るため、様々な人間がこの装置を使用する場合、マルチメディア要素へのアクセスがさらに困難になる。
【００１６】
例えば、旅行の枠内で撮影された家族の構成員を表す画像を、家族のイベントに関連するフォルダに配置する人もあれば、旅行に関連するフォルダに配置する人もいる。
【００１７】
さらに、このアクセス方法は、要求に応じて、この要求に相当し得るすべての要素が提示されるという欠点を有する。これの要素の数が多すぎて、ユーザはそのアクセス要求を管理できるとは思えず、サーチを放棄してしまうのである。
【００１８】
付加的には、選択判定条件に基づくアクセスは一般的に制限的である。すなわち、選択判定条件を相次いで定義すると、これらの種々異なる判定条件が組み合わされることによってアクセスできる要素の数がつぎつぎと制限されるのである。
【００１９】
要素を選択するユーザは、殊にこの照合が再作成によっておよび／またはあらかじめ定めた検索目的なしに行われる場合、例えばすでに使用した判定条件を廃棄することによって、選択中にその判定条件を修正しようとすることがある。
【００２０】
最後に一般的にマルチメディア装置に格納されている要素にアクセスする公知の方法は、ディジタル装置の操作、また殊にデータの格納方式に精通していないユーザにとってはあまりユーザフレンドリーではない。
【００２１】
本発明により、上記の問題のうちの少なくとも１つが解決される。本発明は、ディジタルデータによって格納されるマルチメディア要素にアクセスする方法に関し、ここでは画像が各要素に関連づけられており、これによって各要素へのアクセスが制御される。この方法の特徴は、これらの要素のうちの１つにアクセスしたい場合、第１の複数の要素に関連づけられている第１画像グループを表示し、これらの表示される画像の少なくとも１つと、第１画像グループとは異なる、第２の複数の要素に関連づけられている第２画像グループの表示を制御するための手段とが関連づけられていることである。
【００２２】
このような方法により、要素を定めるために使用される選択判定条件の性質および／または位置についてのあらかじめの知識を必要とすることなく、マルチメディア要素への高速かつ簡単なユーザアクセスが可能になる。
【００２３】
付加的にはこの方法により、格納されたすべての要素の照会が簡単になる。それは１ユーザが、相次いで要素のさまざまなグループにアクセスできるからである。
【００２４】
さらに強調すべきであるのは、本発明による方法が、マルチメディア要素に対して行われ得るすべての同時のアクセスを提供しないことである。それはこれらの要素へのアクセスを可能にする画像が、さまざまな画像のグループの連続によってユーザに提示されるからである。
【００２５】
言い換えると、ユーザは、第１画像グループからアクセス可能な第１のマルチメディア要素にアクセスするか、または新しい画像グループの表示の要求を選択して別の要素にアクセスするかのいずれかを考慮することできるのである。
【００２６】
したがってこの方法により、要素の格納に関連する知識を必要とすることなく、ユーザフレンドリーで、簡単かつ高速なマルチメディア要素へのアクセスが得られるのである。
【００２７】
１実施形態では、第１画像グループが表示される場合、第２画像グループとは異なる、第３の要素に関連づけられた第３画像グループを表示する手段が、第２画像グループの少なくとも１つの画像に関連づけられている。
【００２８】
したがってこのような方法のユーザは、画像のグループに相次いでアクセスすることができ、例えば、格納されたすべての要素に「ざっと目を通す」という感覚でこれらを検証することができるのである。
【００２９】
１実施形態では、画像を表示する手段がアクティブ化されると、直ちに第１画像グループが自動的に表示される。
【００３０】
このため、マルチメディア要素の処理についての知識をほとんど有しないユーザが、これの要素に簡単にアクセスすることができる。それは要素へのアクセスを可能にする画像の表示は、テレビジョン画面またはコンピュータ画面などの表示手段をアクティブ化することによって行われるからである。
【００３１】
１実施形態によれば、マルチメディア要素に対して表示、格納または転送などの操作を実行する場合、第１画像グループの表示をアクティブ化する手段を表示する。
【００３２】
したがってマルチメディア要素を処理するユーザは、画像を介してこれらの要素すべてにアクセスすることができるのである。
【００３３】
１実施形態では、画像グループを表示する場合、修正、格納または転送などの操作を制御する手段も表示する。
【００３４】
１実施形態によれば、表示する画像の数は、１０以下であり有利には６以下である。
【００３５】
１実施形態によれば、同一の選択判定条件に対応し１グループを形成する要素と、同一のグループに所属する要素に関連づけられた画像とを１グループで表示する。
【００３６】
１実施形態では以下の判定条件、すなわち、アクセス頻度、格納日付、ファイルサイズ、この画像における所定のレリーフの存在または色の優位度などの関連づけられた画像に固有の技術的なパラメタ、要素に関連づけられたテーマ、同一のセマンティックグループへの帰属度、要素の内容および／または性質についての類似度、ランダムな決定、またはユーザの好みのうちの少なくとも１つ判定条件を考慮することによって、画像および／またはグループ（このグループから選択した画像を表示する）を選択する。１実施形態では上記のマルチメディア要素は、ビデオシーケンス、画像、曲および／またはテキストに関連する。
【００３７】
１実施形態によれば、マルチメディア要素は、写真またはビデオシーケンスに関連し、この要素に関連付けられる画像をこの写真からまたはこのビデオシーケンスから生成する。
【００３８】
１実施形態では、要素の表示を生成することによってこの要素にアクセスする。
【００３９】
１実施形態によれば、画像の表示を時系列モードにしたがってまたはテーマモードにしたがって行う。
【００４０】
本発明はまた、ディジタルデータによって格納されるマルチメディア要素にアクセスするための装置に関し、ここでは画像が各要素に関連づけられており、これによって各要素にアクセスする。この装置の特徴は、この装置がつぎのような手段を含むことである。すなわち、第１の複数の要素に関連づけられている第１画像グループを表示し、かつこれら表示された画像のうちの１つに基づいて、第２の複数の要素に関連づけられた第２画像グループの表示を制御する手段を含んでいることであり、ここで第２画像グループは、第１画像グループとは異なる。
【００４１】
１実施形態では、上記の装置は、上記の第２グループの少なくとも１つの画像と、この第２のグループとは異なる、第３の要素に関連づけられた第３画像グループを表示する手段と関連づける手段を有している。
【００４２】
１実施形態によれば、上記の装置は、画像表示手段がアクティブ化されると、直ちに第１画像グループを自動的に表示する手段を含む。
【００４３】
１実施形態によれば、上記の装置は、マルチメディア要素に対する表示、格納または転送などの操作に伴って、第１画像グループの表示をアクティブ化する手段を表示する手段を含む。
【００４４】
１実施形態によれば、上記の装置は、時系列モードにしたがってまたはテーマモードにしたがって画像表示する手段を含む。
【００４５】
本発明の別の特徴および利点は、制限でない例としての本発明の以下の説明から明らかになろう。ここでは添付の図面を参照する。これらの図面において、
図１ａおよび１ｂは、すでに説明したようにマルチメディア要素にアクセスするための公知の方法を示しており、
図２ａおよび２ｂは、マルチメディア要素にアクセスするための本発明による方法を示しており、
図３および４は、本発明による画像の表示を示しており、
図５は、本発明による装置によって実行される動作のチャートを示している。
【００４６】
図２ａに示されているのは、本発明にしたがって（図示しない）マルチメディア要素にアクセスするための第１の方法であり、ここでは画像ａ，ｂ，…，ｊは各要素に関連づけられており、これによって各要素へのアクセスが制御される。
【００４７】
本発明によれば、ディジタル装置２００に格納された複数のマルチメディア要素のうちの１つにアクセス２０６が要求されると、第１の複数の要素に関連づけられた第１画像グループ（ａ，ｊ，ｅ，ｆ，ｇ）が画面２１０に表示される。
【００４８】
これらの画像ａ，ｊ，ｅ，ｆおよびｇはアクティブ化手段を含んでいるため、この画像がアクティブ化されると、この画像に関連づけられたマルチメディア要素がユーザに提示される。この実施形態ではこのアクティブ化は、ユーザによって送信されたアクティブ化要求によって実行され、ここでこれは画像の選択を可能にするリモートコントロール２０３によって行われる。
【００４９】
これらの画像のうちの特定の画像、例えば画像ｅもいわゆるナビゲーション手段を含んでおり、ユーザがこの画像ｅを照会すると、第１のグループとは異なる第２画像グループ（ｂ，ｃ，ｅ，ｋ，ｍ）が表示される。このナビゲーションもリモートコントロール２０３からコントロールされる。
【００５０】
したがって明らかであるのは、画像のグループを相次いで表示することにより、装置２００のユーザが、表示された画像を介して、装置２００においてアクセス可能なマルチメディア要素の高速かつ簡単なある種のセンスを得られることである。
【００５１】
第１画像グループおよび第２画像グループにおいて表示される画像の選択は、マルチメディア要素の格納日付、この要素へのアクセス頻度、同一のセマンティックグループへの帰属度（membership）、これらの要素の性質または内容についての類似度、ランダムな決定またはユーザの好みなどのような判定条件によって行われる。
【００５２】
図２ｂに示した本発明の変形実施形態によれば、装置によって使用される画像ａ，ｂ，…，ｎは、フォルダにおける位置または要素の内容に関連するテーマなどの選択判定条件によって定義される要素に関連づけられる。
【００５３】
選択判定条件を考慮することによって、同一の（またはいくつかの）判定条件を満たす要素の集合２０４１，２０４２，２０４３および２０４４が定められる。
【００５４】
これらの要素のうちのいくつかは種々異なる集合に所属することが可能である。したがって画像ｂに関連づけられる要素は集合２０４３および２０４５に所属するのに対して、画像ｅに関連づけられる要素は集合２０４３および２０４２に所属する。
【００５５】
このような状況が発生するのは、例えば、集合２０４４が旅行に関連する要素に相当し、集合２０４２が展示会に関連する要素に相当し、また画像ｅに関連づけられる要素が、展示会の枠内で行われた旅行中に撮影された写真に相当する場合である。
【００５６】
この場合、本発明の１変形実施形態によれば、要素の集合２０４３の選択が行われるのは、装置２０１のユーザがマルチメディア要素にアクセスしたいことが検出される場合である。つぎにユーザは、集合２０４３に含まれる要素に関連づけられた画像の中から表示される画像グループ（ｂ，ｃ，ｅ，ｆ，ｇ）を選択する。
【００５７】
集合のこのような選択によって可能になるのは、同一のテーマを扱うまたは類似した格納日付を有するなどの関係を示す画像を表示することである。したがって提示される画像グループは、装置２００のユーザに対してある一貫性を示すのである。
【００５８】
選択される第１の集合は、集合の要素へのアクセス頻度、これらのアクセスの時系列、同一のセマンティックグループへの帰属度、これらの要素の性質および／または内容についての類似度、ランダムな決定および／または発明者の好みなどのような判定条件にしたがって決定することができる。
【００５９】
前に述べたようにこれらの画像のうちのいくつかは第２の画像の集合に所属することができる。したがって本発明の１変形実施形態によれば、ユーザが第２の集合２０４２に所属する画像ｅを照会すると、第２の集合２０４２に含まれる要素に関連する新たな画像のグループｉ，ｅ，ｋ，ｍおよびｎが表示されるのである。
【００６０】
図３に示されているのは、ディジタル写真を表示する本発明の装置の画面３００である。したがってユーザがこの装置をアクティブ化して、これに格納された写真３０２ｉにアクセスする場合、これらの写真に関連づけられた画像のグループ３０４が表示される。
【００６１】
表示される画像３０２活動，３０２風景，３０２建物，３０２人々および３０２場所は写真から発生し、ここでこれらの画像は、例えばそのサイズを縮小することによってこの写真に関連づけられる。
【００６２】
これらの画像３０２ｉは、定められた判定条件にしたがって表示されるため選択されている。この例では、風景または人々などのさまざまなテーマに関連する画像が表示されている。
【００６３】
付加的にはアクティブ化手段がこれらの画像に関連づけられ、画像３０２場所がアクティブ化される場合、関連づけられた写真が表示される。この場合、図３００に示したように写真も画像に依存する。
【００６４】
照会手段も各写真に関連づけられ、写真を照会することによって、新しい画像のグループが表示される。
【００６５】
例えば、画像３０２場所を照会することを考えると、画像４００地域の新たなグループ４００（図４）が時間軸４０２に沿って表示される。ここでこの時間軸は、この写真が撮影された日付ｔに相当する。したがってこの軸４０２に沿った最初の画像ｔ１は、それに続く第２の画像ｔ２よりも前の格納日付を有する。
【００６６】
表示される画像をこのように時系列で表現することは、本発明の１実施形態により、第１画像グループ３０４をテーマにしたがって表示することによって得られる。言い換えると、表示のモードを、同一の画像のグルーブで変えることができるのである。
【００６７】
本発明の１実施形態によれば、ディスプレイ３００は、ディジタル装置の表示手段３５０を含んでおり、この手段により、以下に図５によって説明するように例えば、マルチメディア要素の共有、収集、照会、作成または修正が可能になる。ここで図５は、本発明にしたがってマルチメディア装置５００のユーザが利用できるさまざまな機能を表す。
【００６８】
これらの機能を説明する前に、これらが本発明によるナビゲーション処理のアクティブ化５０４に引き続いて提案されることを指摘しておく。したがってユーザが装置５００をアクティブ化して要素にアクセスすると、図２ａおよび２ｂによって説明したように選択された画像グループが表示される。
【００６９】
ユーザはその装置５００によって、電子メールから、コンパクトディスク（ＣＤ）、ＤＶＤまたはＤＶＩＸのような携帯用記録媒体から、またはディジタルカメラから画像をインポート（５０４）することによってこれを格納（５０２）しようとすることがある。
【００７０】
このために装置５００は、電子メールを受信するため、携帯用記録媒体を読み出すためおよび／またはディジタルカメラのようなディジタル装置を接続するための手段（５０３）を含む。
【００７１】
付加的に装置５００は、ＭＰＥＧ（Motion Picture Expert Group），ＪＰＥＧ（Joint Photographic Expert Group），ビットマップ（ピクセルマップ）またはＴＩＦＦ（Tagg Image File Format）などのさまざまな記録形式にしたがうマルチメディア要素を処理するための手段５０５を含む。
【００７２】
またこの装置は、インターネットネットワークまたは類似の通信ネットワークとのリンクを含んでいるため、このネットワークを介して要素を交換して受信または送信することができる。
【００７３】
同様にこの装置は、例えば、時系列的な判定条件、選択テーマ、または要素のサイズのように自動的に割り当てられるパラメタを考慮することによって、処理される要素にインデックスを付与する手段（５０６）を含む。
【００７４】
これを行うため、この装置は、要素に作成または格納日付を割り当てるため、要素の存続期間（開始および終了）を決定するため、および／または要素に１つまたは複数のテーマを割り当てるための手段５０７を含んでいる。この操作については後に図６を用いて詳しく説明する。
【００７５】
付加的に装置５００は、例えばフォルダから要素を削除するか、または技術的な特性（フレーミング、コントラスト、ライト、色）を変更することによって、要素を修正するための手段５０８を含む。
【００７６】
また装置５００は、例えばテーマまたは日付／存続時間を用いて要素を検索するための手段５１０も有する。
【００７７】
この装置は、現在表示している写真に関係している写真（例えば時間的にまたはテーマが関係している写真）を選択することによって複数の画像に目を通せるようにし、またユーザが新しい写真を表示したい場合には、写真のこの選択が表示されるようにする手段も含むことができる。
【００７８】
この装置は、要素の１つまたは複数の集合５１３を作成する手段５１２も含んでいる。ここで集合は、幼年時代または観光旅行などのテーマに相当することが可能である。したがってマルチメディア要素を写真とすると、さまざまなテーマに固有の写真アルバムを作成することができるのである。
【００７９】
実際にこの装置は、アルバムに格納されたさまざまな要素を表示することによってアルバムを照会できるようにする手段５１４を含む。このような表示は、スライドショーの形で行われる。すなわち、例えば時系列および／テーマ順にしたがって、各要素に関連づけられた画像を相次いで表示するのである。
【００８０】
この装置は、電子メールで送信することによって、「コンパクトディスク」のような携帯用記憶媒体にダウンロードすることによって、またはインターネットネットワークを介してアクセス可能な文書に組み込むことによって処理されるマルチメディア要素を共有できるようにする手段５１６も備えている。このような共有は、「ウェブ」ページ、すなわちインターネットネットワークから利用できるページを作成できるようにし、電子メールに要素を添付できるようにし、また要素を有するアルバムを作成できるようする手段５２０によって行うことも可能である。
【００８１】
最後に、この装置は、本発明にしたがって画像グループを表示できるようにし、しかもこれを前述のようにテーマによる編成（５１８′）にしたがって、または時系列による編成（５１８″）を表示できるようする手段５１８と、１つ以上の相異なる判定条件にしたがってマルチメディア要素を検索できるようにする手段５３０とを含む。
【００８２】
本発明では数多くの変形実施形態が可能である。考察した上記の画像は、ランダムまたはあらかじめ定めたやり方で得られるビデオシーケンスの抽出物に対応することが可能であるため、ユーザは、本発明にしたがって画像を選択することによってビデオシーケンスにアクセスする。
【００８３】
この場合、あらかじめ選択された現在のビデオシーケンスは動画であるのに対して、抽出されたものは静止画である。別の変形実施形態によれば、あらかじめ選択された現在のビデオシーケンスは音声に関連づけられるのに対して、抽出されたものは消音モードで再生される。
【００８４】
上記のさまざまなケースにおいてフィルムまたは曲の選択をジャンル、日付、作者またはユーザプロフィールによって行うことができる。
【００８５】
実際に本発明による装置はテレビジョンまたはディジタルデコーダのような装置と関連づけることができるため、単独のマルチメディアシステムのベース上にさまざまな機能が提供される。
【００８６】
本発明によるアクセス方法は、ユーザが、例えば要素を表示するため、これをエクスポートするため、またはこれを修正するためにこれにアクセスしようとした場合に自動的に起動される。
【図面の簡単な説明】
【００８７】
【図１】マルチメディア要素にアクセスするための公知の方法を示す図である。
【図２】マルチメディア要素にアクセスするための本発明による方法を示す図である。
【図３】本発明による画像の表示を示す図である。
【図４】本発明による画像の表示を示す別の図である。
【図５】本発明による装置によって実行される動作のチャートである。
2006512666.tif 000003
2006512666.tif 000004
【図３】
2006512666.tif 000005
【図４】
2006512666.tif 000006
【図５】
2006512666.tif 000007
【国際調査報告】
2006512666.tif 000008
2006512666.tif 000009
2006512666.tif 000010